(57)【特許請求の範囲】
【請求項１】
伸縮性を有する表地と伸縮性を有する裏地との間に設けられ、伸縮性を有する少なくとも１つの羽毛パックと、
前記羽毛パックに充填された羽毛と、を備えるブラウスであって、
前記羽毛パックは、前記裏地に縫合され、前記表地に縫合されておらず、
前記羽毛パックは、左右の前身頃において水平方向に２か所ずつ縫合されており、さらに、前記羽毛パックは前身頃と後身頃の境界に縫合されており、
前記羽毛パックは、後身頃には縫合されていない、ブラウス。
【請求項２】
前記羽毛パックの厚みが１ｃｍ以下である、請求項１に記載のブラウス。
【請求項３】
前記羽毛パックは、ポリウレタンでコーティングされたポリエステルメッシュから構成される、請求項１又は２に記載のブラウス。
【発明の詳細な説明】
【技術分野】
【０００１】
本発明は、 ブラウス、 特に防寒用の羽毛を備えるブラウスに関する。
【背景技術】
【０００２】
衣類着用時の防寒のために、 羽毛を衣類表面に備える防寒衣類がある。 例えば羽毛ジャケットである。かかる防寒衣類は、表地と裏地の間に羽毛を把持する。そのため、表地又は裏地から羽毛（ダウン）が脱漏しないこと (羽毛プルーフ性)、 表地及び裏地が身体の運動に追随して伸縮すること (伸縮性)、 羽毛プルーフ性及び伸縮性を保ちながら軽量であること(軽量性)が要望されている。
【０００３】
この問題に対応するものとして、特許文献１には、生地の伸長率や密度に数値限定をした防寒衣類が開示されている。しかし、厳格な数値限定がなされており、かかる防寒衣類を生産することは容易でない。
【０００４】
一方、 羽毛を包み込む布材によって羽毛プルーフ性を高め、 表地と裏地の選択自由度を向上させることも考えられる。 特許文献２には、 羽毛パックが開示されている。 しかし、羽毛パック自身に伸縮性を持たせない限り、防寒衣類の伸縮性が低下してしまう。
【０００５】
特許文献１も特許文献２も、上着である羽毛ジャケット（ダウンジャケット）を前提に考えられている。 しかしながら、近年はすっきりとしたデザインが求められ、厚みのある羽毛ジャケットは敬遠されがちであり、すっきりとしたデザインものが求められる。さらに、ウォームビズに見られるように、真冬でも屋内の暖房の設定温度を低めに設定し、省電力にする傾向にあるため、保温性の高い室内着が求められる。
【先行技術文献】
【特許文献】
【０００６】
【特許文献１】特開２０１２-１７２２７６号公報
【特許文献２】実用新案登録３１３４６０８号公報
【発明の概要】
【発明が解決しようとする課題】
【０００７】
本発明は、羽毛プルーフ性及び軽量性を保持しつつ、 すっきりとしたデザインで、非常に保温力のあるブラウスを提供することを課題とする。
【課題を解決するための手段】
【０００８】
本発明のブラウスは、伸縮性を有する表地と伸縮性を有する裏地との間に設けられた、 伸縮性を有する少なくとも１つの羽毛パックと、前記羽毛パックに充填された羽毛とを備える。
【発明の効果】
【０００９】
本発明が提供するブラウスは、羽毛及び羽毛パックを備えるブラウスである。伸縮性を有する表地と伸縮性を有する裏地の間に羽毛が充填された羽毛パックを備えることで、身体にフィットとするようなサイズに設定することができ、羽毛を備えるブラウスであっても、すっきりとしたデザインにすることができる。
【図面の簡単な説明】
【００１０】
【図１】図１は、本発明のブラウス１を示す正面図である。
【図２】図２は、本発明のブラウス１のボタンを開けて広げた時の正面図である。
【図３】図３は、図１のＡ−Ａの部分（羽毛パックを備えている部分）のブラウス１の縦方向の断面図である。
【発明を実施するための形態】
【００１１】
本発明の実施の形態の一例について、実施例を用いて説明するが、本発明は実施例に限定されるものではない。
【実施例】
【００１２】
［実施例１］
図１及び図２は、本発明のブラウス１の正面図である。本発明のブラウス１は、前身頃の部分においては、表地２と裏地３とを有する。表地２及び裏地３はいずれも伸縮性の素材である。伸縮性を有する素材であるため、身体にぴったりとしたサイズに設定し、見た目はすっきりとしたデザインであっても、動きやすい。本発明のブラウス１は、羽毛６１が充填された羽毛パック６２が、表地２と裏地３の間に設けられている。そして、羽毛パック６は、裏地３に縫合されているため、図１でもわかるように、表地２には羽毛を備えるための縫合部はない。ブラウス１の前身頃以外の部分、すなわち、袖の部分及び後身頃には、羽毛パックは設けていない。なお、「伸縮性を有する」とは、４０％以上の伸長率であることを言う。
【００１３】
図２からわかるように、羽毛６１を含む羽毛パック６２は、表地２と裏地３の間に備えられており、裏地２に縫合されているため、裏地３には、裏地３と羽毛パック６２とを縫合する縫合部４が設けてある。縫合部４は、裏地３における着用者の胸囲に対応する部分と、腰の上部に対応する部分とに、水平方向に施されている。
【００１４】
図３は、羽毛パック６２が備えられている前身頃の断面図である。羽毛パック６２は、羽毛６１を包む袋状のものであり、伸縮性不織布から構成される。羽毛パック６２は羽毛６１が中から出ないように、構成されている。そして、図３のように、前身頃の表地２と、裏地３との間に複数の羽毛パック６２が設けられている。
【００１５】
伸縮性不織布が伸縮し、伸縮性不織布が表地２及び裏地３の伸縮に追随することで、羽毛６１を備えるブラウス１は、極めて動きやすい構造になっている。
【００１６】
羽毛パック６２の大きさ及び形状は特に限定されない。比較的小さい羽毛パック６２を複数個、表地２と裏地３との間に設けてもよいし、比較的大きい１つの羽毛パック６２を、表地２と裏地３との間に設けてもよい。
【００１７】
実施例では、羽毛パック６２は、裏地３、及び前身頃と後身頃との境界に縫合されており、表地２には縫合されていない。したがって、表地２に縫合部はない。しかし、これらは限定されるものではなく、羽毛パック６２は表地２に縫合してもよいし、表地２及び裏地３の両方に縫合してもよい。
【００１８】
羽毛パック６２は、ポリエステルのメッシュに、ポリウレタンコーティングが施されているものである。この構成により、極めて羽毛プルーフ性が高くなる。すなわち、羽毛パック６２が伸びた状態であっても、ミクロな穴が開きにくいため、中の羽毛６１が外に出にくい構造になっている。また、ポリウレタンコーティングが施されているポリエステルメッシュは、適切な伸縮性及び透水性を兼ね備えている。
【００１９】
羽毛パック６２の厚みは、１ｃｍ未満である。厚さは特に限定されるものではないが、１ｃｍ未満であれば、ブラウスがモコモコせず、スッキリとした印象になる。なお、本実施例の厚さは７ｍｍである。
【００２０】
羽毛パック６２は透水性を有するため、水洗いが可能である。ブラウス１の水洗いにおいては、羽毛パック６２に流入してしまった水を羽毛パック６２の外に流出させることが必須であるが、羽毛パック６２に使用されるものは、透水性を有するため、外に出すことができる。
【００２１】
なお、水洗いした場合に水がそのまま下にしたたり落ちるように、ブラウス１の裾５も適切に処置されている。
【００２２】
本発明のブラウス１の後身頃には、羽毛パック６２を設けない方が好ましい。後身頃に羽毛パック６２を設けてしまうと、ブラウス１の背中がモコモコしたような状態になってしまい、着用した際にスッキリとした印象にならない。
【００２３】
［実施例２］
別の実施例として、羽毛パック６２は、伸縮生地部と、透水生地部とから構成される材質が使用される。生地の比率として、伸縮生地部の比率が８０％以上であり、透水生地部の比率が２０％以下である。このような材質であれば、羽毛パック６２は、水洗いしても、水がダウンパック内に停留せずに流れることができるため、乾燥しやすい。
【００２４】
伸縮生地部は、例えば、メッシュ素材のポリエステルであり、透水生地部は、例えば、非メッシュのポリエステルである。
【００２５】
実施例２における羽毛パック６２は、大部分を占める伸縮生地部の中に部分的に透水生地部を有している。透水生地部の大きさは例えば、一辺が２０ｍｍの正方形であり、その正方形の透水生地部を、ランダムに伸縮生地部を配置する。透水生地部の割合が多すぎると、伸縮性が減少してしまい、一方、透水生地部の割合が少なすぎると、水がダウンパックに停留してしまう。
【００２６】
羽毛パック６２は、いろいろな方向に伸縮させることができるが、その伸縮方向を含む平面で切断した断面に伸縮生地部が十分に含まれていれば、伸縮性が保たれる。伸縮生地部の伸縮率をｘ、切断した断面における伸縮生地部の比率をｒとすると、伸縮方向に対して、ｒｘの伸縮率となる。断面の方向によってｒの値が変化し得るが、どの方向についても、ｒ＞０．８にすることにより、伸縮生地部の伸縮率を８０％以上の伸縮率を保つことができる。
【００２７】
本発明の効果について説明する。
［１］伸縮性を有する表地と伸縮性を有する裏地との間に設けられ、伸縮性を有する少なくとも１つの羽毛パックと、前記羽毛パックに充填された羽毛と、を備える、ブラウスは、伸縮性を有する表地と伸縮性を有する裏地の間に羽毛を備えることで、身体にフィットとするようなサイズに設定することができ、羽毛を備えるブラウスであっても、すっきりとしたデザインにすることができる。
【００２８】
［２］前記羽毛パックが、前記ブラウスの前身頃にのみ設けられる場合であっても、十分な防寒性能が得られる。後身頃に羽毛がないことで、背中部分がモコモコすることがなく、ファッション的にすっきりとした印象になる。また、後見頃に羽毛を入れない方が、室内着としても着用可能となり、保温しすぎることがなくなる。
【００２９】
［３］前記羽毛パックの厚みが１ｃｍ以下であれば、羽毛パックが薄くなり、着用しても、上半身が動きやすくなる。しかも、軽量であり、室内着として着用しやすいブラウスである。
【００３０】
［４］前記羽毛パックは、前記裏地に縫合され、前記表地に縫合されなければ、表地に不自然な縫合部を露出することがない。羽毛が使用されるダウンベストは、表地にも縫合部があるのが通常であるため、表地に縫合部がないダウンベストは求められない。しかし、ブラウスは高いファッション性が求められ、表地に縫合しないことにより、表地に縫合部が現れず、羽毛を備えないブラウスに近い外観を有し、ファッション性が向上する。
【００３１】
［５］前記羽毛パックは、ポリウレタンでコーティングされたポリエステルメッシュから構成される場合は、前記羽毛パックは、伸縮性と透水性を兼ね備えているため、表地及び裏地の伸縮にも追随しつつ、水洗いをすることも可能である。ダウンベストに比べ、ブラウスは直接肌に触れることが多く、家庭での水洗い選択をする要望が高い。透水性を有する羽毛パックを持用いれば、水洗い後に乾燥しやすく、清潔に保つことができる。
【符号の説明】
【００３２】
１    ブラウス
２    表地
３    裏地
４    縫合部
５    裾
６１  羽毛
６２  羽毛パック
【要約】      （修正有）【課題】羽毛プルーフ性及び軽量性を保持しつつ、すっきりとしたデザインで、非常に保温力のあるブラウスを提供する。【解決手段】伸縮性を有する表地と伸縮性を有する裏地３との間に設けられ、伸縮性を有する少なくとも１つの羽毛パックと、前記羽毛パックに充填された羽毛と、を備えるブラウス１。羽毛パックを表地に縫合せず、裏地に縫合する場合は、表地に縫合部４がなくなるため、外観が優れたブラウスとなる。【選択図】図２【図１】
0005873586.tif 000002
【図２】
0005873586.tif 000003
【図３】
0005873586.tif 000004